(57)【要約】【課題】携帯電話等の無線通信と非接触通信とを同時に行った際に生じる通信信号の相互干渉を軽減する。【解決手段】携帯端末装置の第１の筐体１１には、外表面の一部を構成する背面部２６に、非接触通信用カード１７の位置を決めるためのガイド手段として機能する段差形状のガイド１９が第１の筐体１１の短手方向に形成されている。非接触通信を行う際には、使用者が第１の筐体１１のガイド１９に非接触通信用カード１７の一端部を合わせて背面部２６に載置することで、非接触通信用カード１７が第１の筐体１１の背面部２６上で所定位置に位置決めされた状態で、非接触通信が行われる。この場合、非接触通信用カード１７のアンテナ開口部の直下に移動体通信用アンテナ１３及びアンテナ給電点１５が位置することを防止でき、携帯電話等の無線通信と非接触通信との相互干渉を軽減できる。【選択図】  図１
2004297600.tif 000002
【特許請求の範囲】
【請求項１】
移動体通信を行う移動体通信部と、近距離の非接触通信を行う非接触通信部とを有する携帯端末装置であって、
前記非接触通信部により外部の非接触通信用カードとの間で非接触通信を行う際に、前記非接触通信用カードを携帯端末装置の筐体面の所定位置に載置するように位置決めするガイド手段を備える携帯端末装置。
【請求項２】
請求項１記載の携帯端末装置であって、
前記ガイド手段は、前記非接触通信用カードのアンテナ開口部と前記移動体通信部のアンテナ及びアンテナ給電点の位置とが所定の位置関係になるように前記非接触通信カードを案内するものである携帯端末装置。
【請求項３】
請求項１記載の携帯端末装置であって、
前記ガイド手段は、前記非接触通信用カードのアンテナ開口部と前記移動体通信部のアンテナ及びアンテナ給電点の位置とが積層方向で互いにずれた位置関係となるように前記非接触通信カードを案内するものである携帯端末装置。
【請求項４】
請求項１ないし３のいずれか一項記載の携帯端末装置であって、
前記ガイド手段は、当該携帯端末装置の筐体外表面に形成された段差部を含んで構成される携帯端末装置。
【請求項５】
請求項１ないし３のいずれか一項記載の携帯端末装置であって、
前記ガイド手段は、当該携帯端末装置の筐体外表面に形成された凸部を含んで構成される携帯端末装置。
【請求項６】
請求項５記載の携帯端末装置であって、
前記ガイド手段は、当該携帯端末装置の筐体外表面に形成された溝に着脱可能に挿入され前記凸部を形成するガイド部材を含んで構成される携帯端末装置。
【請求項７】
請求項１ないし３のいずれか一項記載の携帯端末装置であって、
前記ガイド手段は、当該携帯端末装置の筐体外表面に設けられたガイド表示を含んで構成される携帯端末装置。
【発明の詳細な説明】
【０００１】
【発明の属する技術分野】
本発明は、非接触通信システムに対応した携帯電話機等の携帯可能な携帯端末装置に関する。
【０００２】
【従来の技術】
近年、携帯電話機等の携帯可能な通信機器の普及、及び非接触で近距離通信を行うＢｌｕｅｔｏｏｔｈや無線タグ、無線ＬＡＮ、赤外線通信（ＩｒＤＡなど）等の非接触通信システムの普及に伴い、非接触通信システムに対応した携帯端末装置が市場から要求されている。従来の非接触通信システムに対応した携帯端末装置は、携帯電話等の移動体通信システムによる通話またはデータ通信を行うと共に、非接触通信システムによる非接触通信を行えるようになっている。
【０００３】
図１０は従来の非接触通信システムに対応した携帯端末装置の構成例を示した図である。この従来例の携帯端末装置は、第１の筐体５１と第２の筐体５２とを有し、これらの２つの筐体が折り畳み可能に構成されている。そして、携帯電話等の移動体通信システムにおける通話またはデータ通信等の無線通信を行う機能を有している。また、外部の非接触通信用カード５７との間で非接触通信を行う機能も有している。
【０００４】
上記携帯端末装置の第１の筐体５１には、移動体通信システムにおける無線通信を行うための移動体通信用アンテナ５３と、前記無線通信を行うための電子部品が実装され無線通信回路が構成された回路基板５４と、回路基板５４に移動体通信用アンテナ５３を接続するためのアンテナ給電点５５と、非接触通信を行うための非接触通信用アンテナ５６とが設けられている。また、非接触通信を行う際の相手側となる非接触通信用カード５７は、非接触通信を行うためのアンテナ５８を備えている。
【０００５】
このような非接触通信システムに対応した携帯端末装置は、移動体通信用アンテナ５３を介して図示しない移動体通信システムの基地局との通話またはデータ通信等の無線通信中に、装置内の非接触通信用アンテナ５６と非接触通信用カード５７のアンテナ５８との間で非接触通信を行う。
【０００６】
また、携帯電話機等の携帯端末装置において、ＩＣカード等のカード型媒体を装着可能にしたものが種々提案されている（例えば、特許文献１〜３参照）。
【０００７】
【特許文献１】
特開２００１−２３０６９４号公報
【特許文献２】
特開２００２−３４２７２０号公報
【特許文献３】
特開平１０−０６５３５７号公報
【０００８】
【発明が解決しようとする課題】
携帯端末装置において、移動体通信システムの無線通信と非接触通信とを同時に行う場合、図１０に示した上記従来例のような構成では、非接触通信の通信相手である外部の非接触通信用カード５７のアンテナ５８の開口部の直下に移動体通信用アンテナ５３及びアンテナ給電点５５が位置してしまう。このため、通話またはデータ通信等の移動体通信システムの無線通信を行うと同時に、非接触通信を行うと、移動体通信の送信電波と非接触通信システムの電波とが相互干渉を起こし、スプリアス成分を発生してしまい、通話またはデータ通信が正常できなくなったり、非接触通信が正常にできなくなったりするおそれがある。
【０００９】
本発明は、上記事情に鑑みてなされたもので、携帯電話等の無線通信と非接触通信とを同時に行った際に生じる通信信号の相互干渉を軽減することができる携帯端末装置を提供することを目的とする。
【００１０】
【課題を解決するための手段】
本発明の携帯端末装置は、移動体通信を行う移動体通信部と、近距離の非接触通信を行う非接触通信部とを有する携帯端末装置であって、前記非接触通信部により外部の非接触通信用カードとの間で非接触通信を行う際に、前記非接触通信用カードを携帯端末装置の筐体面の所定位置に載置するように位置決めするガイド手段を備えるものである。
【００１１】
上記構成により、ガイド手段の案内に沿って非接触通信用カードを携帯端末装置の筐体面に載置すると、非接触通信用カードは携帯端末装置の所定の位置に正しく位置決めされる。これにより、携帯電話等の無線通信の通信信号と非接触通信の通信信号との干渉が少ない位置に非接触通信用カードが位置決めすることができ、携帯電話等の無線通信による通話またはデータ通信等と同時に非接触通信を行った際に生じる通信信号の相互干渉を軽減することができる。
【００１２】
また、上記携帯端末装置であって、前記ガイド手段は、前記非接触通信用カードのアンテナ開口部と前記移動体通信部のアンテナ及びアンテナ給電点の位置とが所定の位置関係になるように前記非接触通信カードを案内するものを含む。
【００１３】
上記構成により、ガイド手段の案内に沿って非接触通信用カードを携帯端末装置の筐体面に載置した場合、非接触通信用カードのアンテナ開口部と移動体通信部のアンテナ及びアンテナ給電点の位置とが所定の位置関係になるように、例えば非接触通信用カードのアンテナ開口部の直下に移動体通信部のアンテナ及びアンテナ給電点が位置しないように位置決めされる。これにより、携帯電話等の無線通信による通話またはデータ通信等と同時に非接触通信を行った際に生じる通信信号の相互干渉を軽減することができる。
【００１４】
また、上記携帯端末装置であって、前記ガイド手段は、前記非接触通信用カードのアンテナ開口部と前記移動体通信部のアンテナ及びアンテナ給電点の位置とが積層方向で互いにずれた位置関係となるように前記非接触通信カードを案内するものを含む。
【００１５】
上記構成により、ガイド手段の案内に沿って非接触通信用カードを携帯端末装置の筐体面に載置した場合、非接触通信用カードのアンテナ開口部と前記移動体通信部のアンテナ及びアンテナ給電点の位置とが積層方向で互いにずれた位置関係となるように位置決めされる。これにより、携帯電話等の無線通信による通話またはデータ通信等と同時に非接触通信を行った際に生じる通信信号の相互干渉を軽減することができる。
【００１６】
また、上記いずれかの携帯端末装置であって、前記ガイド手段は、当該携帯端末装置の筐体外表面に形成された段差部を含んで構成されるものを含む。
上記構成により、段差部に非接触通信カードの一端部を当接させて携帯端末装置の筐体面に載置すると、非接触通信用カードは携帯端末装置の所定の位置に正しく位置決めされる。この場合、非接触通信用カードを段差部に合わせるだけで容易かつ確実な位置決めを行うことができる。
【００１７】
また、上記いずれかの携帯端末装置であって、前記ガイド手段は、当該携帯端末装置の筐体外表面に形成された凸部を含んで構成されるものを含む。
上記構成により、凸部に非接触通信カードの一端部を当接させて携帯端末装置の筐体面に載置すると、非接触通信用カードは携帯端末装置の所定の位置に正しく位置決めされる。この場合、非接触通信用カードを凸部に合わせるだけで容易かつ確実な位置決めを行うことができる。
【００１８】
また、上記携帯端末装置であって、前記ガイド手段は、当該携帯端末装置の筐体外表面に形成された溝に着脱可能に挿入され前記凸部を形成するガイド部材を含んで構成されるものを含む。
上記構成により、ガイド部材に非接触通信カードの一端部を当接させて携帯端末装置の筐体面に載置すると、非接触通信用カードは携帯端末装置の所定の位置に正しく位置決めされる。また、ガイド手段が不要な場合はガイド部材を取り外すことで、携帯端末装置の筐体面は出っ張りがなくなり、筐体の厚さを薄くできる。
【００１９】
また、上記いずれかの携帯端末装置であって、前記ガイド手段は、当該携帯端末装置の筐体外表面に設けられたガイド表示を含んで構成されるものを含む。
上記構成により、ガイド表示に非接触通信カードの一端部を合わせて携帯端末装置の筐体面に載置すると、非接触通信用カードは携帯端末装置の所定の位置に正しく位置決めされる。また、携帯端末装置の筐体面は最初から出っ張りも段差もなく、薄型にできる。
【００２０】
【発明の実施の形態】
以下、図面を参照して本発明の実施形態を説明する。
（第１の実施形態）
図１は、本発明の第１の実施形態に係る携帯端末装置の概略構成を示す図である。本実施形態の携帯端末装置は、携帯電話の移動体通信システムとＢｌｕｅｔｏｏｔｈや無線タグ、無線ＬＡＮ等の非接触通信システムとに対応したものである。
【００２１】
第１の実施形態の携帯端末装置は、無線通信回路等を備えたメイン側筐体である第１の筐体１１と、ＬＣＤ表示部等を備えたＬＣＤ側筐体である第２の筐体１２とを有し、これらの２つの筐体１１、１２がヒンジ部２５により回動可能に構成された、いわゆる折り畳み型の筐体構成となっている。
【００２２】
上記携帯端末装置の第１の筐体１１は、移動体通信システムにおける無線通信を行うための移動体通信用アンテナ１３と、前記無線通信を行うための電子部品が実装され無線通信回路が構成された回路基板１４と、回路基板１４に移動体通信用アンテナ１３を接続するためのアンテナ給電点１５と、非接触通信を行うための非接触通信用アンテナ１６とを備えている。
【００２３】
この携帯端末装置は、携帯電話の無線通信を行う携帯電話機能を実現する携帯電話部と、近距離の非接触通信を行う非接触通信機能を実現する非接触通信部とを有している。非接触通信部は、非接触通信用アンテナ１６を介して外部の非接触通信用カード１７との間で非接触通信を行うようになっている。
【００２４】
前記第１の筐体１１の外表面の一部を構成する背面部２６には、段差形状のガイド１９が第１の筐体１１の短手方向にわたって形成されている。この段差部によるガイド１９が非接触通信用カード１７の位置を決めるためのガイド手段として機能する。また、非接触通信を行う際の相手側となる非接触通信用カード１７は、非接触通信を行うためのアンテナ１８を備えている。
【００２５】
次に本実施形態の動作について説明する。携帯電話による通話またはデータ通信等の無線通信を行う場合は、携帯端末装置の回路基板１４に実装された携帯電話部の無線通信回路（図示せず）により、アンテナ給電点１５に接続される移動体通信用アンテナ１３を介して移動体通信システムの基地局（図示せず）との間で通信信号を送受信する。
【００２６】
また、非接触通信を行う場合は、携帯端末装置に設けられた非接触通信部により、携帯端末装置内蔵の非接触通信用アンテナ１６と非接触通信用カード１７内にあるアンテナ１８との間で信号を送受する。
【００２７】
携帯端末装置において携帯電話による通話中またはデータ通信中に同時に非接触通信を行う際には、使用者は第１の筐体１１に形成された段状のガイド１９に非接触通信用カード１７の一端部を合わせて第１の筐体１１の背面部２６に載置する。これにより、非接触通信用カード１７が第１の筐体１１の背面部２６上で所定位置に位置決めされて固定された状態で、非接触通信が行われる。このとき、携帯端末装置と非接触通信用カード１７とは、携帯端末装置の移動体通信用アンテナ１３及びアンテナ給電点１５に対して、非接触通信用カード１７のアンテナ開口部が重なって近傍に位置しないように、積層方向で一致しないよう互いにずれた配置となっている。
【００２８】
このように第１の実施形態では、携帯電話による通話またはデータ通信を行うと同時に非接触通信を行う際に、非接触通信用カード１７の位置をガイド１９に合わせて位置決めして第１の筐体１１に載置することで、非接触通信用カード１７のアンテナ開口部の直下に移動体通信用アンテナ１３及びアンテナ給電点１５が重なって位置しないように位置規制することができる。これにより、携帯電話部の送信電波と非接触通信部における非接触通信信号（電波等）との結合度が減少し、その結果として両者の相互干渉を軽減できる。したがって、通話またはデータ通信と同時に非接触通信を行う際のスプリアス成分の発生を抑制し、双方の通信を良好に行うことが可能となる。
【００２９】
（第２の実施形態）
図２は、本発明の第２の実施形態に係る携帯端末装置の概略構成を示す図である。なお、図１に示した第１の実施形態と同様の部分には同一符号を付している。
【００３０】
第２の実施形態は、第１の実施形態と同様に非接触通信用カード１７の位置決めを行うためのガイド２０が設けられている。このガイド２０は、形状が携帯端末装置の第１の筐体１１の背面から突出した構造になっている。その他の構成は第１の実施形態と同様である。
【００３１】
図３は、第２の実施形態の携帯端末装置における第１の筐体１１の背面側の構成を示す平面図である。第１の筐体１１の背面部２６には、第１の筐体１１の短手方向にわたって直線状の凸部によるガイド２０が突出形成されている。
【００３２】
上記第２の実施形態の携帯端末装置において、携帯電話部により通話またはデータ通信を行うと同時に、非接触通信部により非接触通信を行う際には、使用者は第１の筐体１１に突出形成されたガイド２０に非接触通信用カード１７の一端部を合わせて第１の筐体１１の背面部２６に載置する。これにより、非接触通信用カード１７が第１の筐体１１の背面部２６上で所定位置に位置決めされて固定された状態で、非接触通信が行われる。
【００３３】
図４は、第２の実施形態の携帯端末装置における第１の筐体１１の背面側の他の構成を示す平面図である。この変形例は、第１の筐体１１の背面部２６に、真ん中が途切れて２つに分割されたガイド２０ａ、２０ｂが形成されている。このような構成のガイド２０ａ、２０ｂを設けた場合も、図３の例と同様に非接触通信用カード１７を所定の位置に案内して位置決めする機能を実現できる。
【００３４】
このように第２の実施形態では、携帯電話による通話またはデータ通信を行うと同時に非接触通信を行う際に、非接触通信用カード１７の位置をガイド２０に合わせて位置決めして第１の筐体１１に載置することで、第１の実施形態と同様に、非接触通信用カード１７のアンテナ開口部の直下に移動体通信用アンテナ１３及びアンテナ給電点１５が重なって位置しないように位置規制することができる。これにより、携帯電話部の送信電波と非接触通信部における非接触通信信号との結合度が減少し、その結果として両者の相互干渉を軽減できる。したがって、通話またはデータ通信と同時に非接触通信を行う際のスプリアス成分の発生を抑制し、双方の通信を良好に行うことが可能となる。
【００３５】
（第３の実施形態）
図５は、本発明の第３の実施形態に係る携帯端末装置の概略構成を示す図である。なお、図２に示した第２の実施形態と同様の部分には同一符号を付している。
【００３６】
第３の実施形態は、非接触通信用カード１７の位置決めを行うための着脱可能なガイド部材２１が設けられている。このガイド部材２１は、第２の実施形態と同様に携帯端末装置の第１の筐体１１の背面部２６から突出した構造になっており、第１の筐体１１とは別部材である細長い角柱状の部材で構成され、第１の筐体１１の背面部２６に形成された溝２２に挿入固定されている。その他の構成は第１及び第２の実施形態と同様である。
【００３７】
図６は、第３の実施形態の携帯端末装置における第１の筐体１１の背面側の構成を示す平面図である。第１の筐体１１の背面部２６には、第１の筐体１１の短手方向にわたって直線状のガイド部材２１が溝に挿入されて固定され、突出している。
【００３８】
上記第３の実施形態の携帯端末装置において、携帯電話部により通話またはデータ通信を行うと同時に、非接触通信部により非接触通信を行う際には、使用者は第１の筐体１１に突設されたガイド部材２１に非接触通信用カード１７の一端部を合わせて第１の筐体１１の背面部２６に載置する。これにより、非接触通信用カード１７が第１の筐体１１の背面部２６上で所定位置に位置決めされて固定された状態で、非接触通信が行われる。
【００３９】
第３の実施形態の第１変形例として、ガイド部材２１は、第１の筐体１１の背面部２６の溝２２に対して着脱可能に構成することも可能である。
図７は、ガイド部材２１を携帯端末装置の第１の筐体１１の溝２２から取り外した状態を示す図である。非接触通信を行わないときには、図７のように溝２２からガイド部材２１を取り外すことにより、携帯端末装置の第１の筐体１１からガイド手段の出っ張りを無くすことができ、装置筐体を薄型化できる。そして、第１の筐体１１の溝２２にガイド部材２１を挿入して固定することにより、ガイド手段の機能を持たせることができる。
【００４０】
図８は、第３の実施形態の携帯端末装置における第１の筐体１１の背面側の他の構成を示す平面図である。この第２変形例は、第１の筐体１１の背面部２６に、真ん中が途切れて２つに分割されたガイド部材２１ａ、２１ｂが設けられ、それぞれが対応する溝に挿入固定されている。このような構成のガイド部材２１ａ、２１ｂを設けた場合も、図６の例と同様に非接触通信用カード１７を所定の位置に案内して位置決めする機能を実現できる。
【００４１】
このように第３の実施形態では、携帯電話による通話またはデータ通信を行うと同時に非接触通信を行う際に、非接触通信用カード１７の位置をガイド部材２１に合わせて位置決めして第１の筐体１１に載置することで、第１及び第２の実施形態と同様に、非接触通信用カード１７のアンテナ開口部の直下に移動体通信用アンテナ１３及びアンテナ給電点１５が重なって位置しないように位置規制することができる。これにより、携帯電話部の送信電波と非接触通信部における非接触通信信号との結合度が減少し、その結果として両者の相互干渉を軽減できるため、通話またはデータ通信と同時に非接触通信を行う際のスプリアス成分の発生を抑制し、双方の通信を良好に行うことが可能となる。
【００４２】
また、図７に示したように携帯端末装置の第１の筐体１１からガイド部材２１を取り外し可能にすれば、ガイド部材２１が不要なときには取り外すことで第１の筐体１１の背面部から２６出っ張りを無くすことができる。これにより、携帯端末装置を薄型にすることができるとともに、ポケットやカバンなどに対して携帯端末装置を円滑に出し入れ可能にすることができる。
【００４３】
（第４の実施形態）
図９は、本発明の第４の実施形態に係る携帯端末装置の概略構成を示す図である。なお、図１に示した第１の実施形態と同様の部分には同一符号を付している。
【００４４】
第４の実施形態は、第１の実施形態と同様に非接触通信用カード１７の位置決めを行うためのガイド表示２３が設けられている。このガイド表示２３は、第１の筐体１１の背面部２６にシルク印刷等による塗料等の塗布、シール等の貼付などによって設けられる。その他の構成は第１の実施形態と同様である。
【００４５】
上記第４の実施形態の携帯端末装置において、携帯電話部により通話またはデータ通信を行うと同時に、非接触通信部により非接触通信を行う際には、使用者は第１の筐体１１に示されたガイド表示２３に非接触通信用カード１７の一端部を合わせて第１の筐体１１の背面部２６に載置する。これにより、非接触通信用カード１７が第１の筐体１１の背面部２６上で所定位置に位置決めされて固定された状態で、非接触通信が行われる。
【００４６】
このように第４の実施形態では、携帯電話による通話またはデータ通信を行うと同時に非接触通信を行う際に、非接触通信用カード１７の位置をガイド表示２３に合わせて位置決めして第１の筐体１１に載置することで、第１ないし第３の実施形態と同様に、非接触通信用カード１７のアンテナ開口部の直下に移動体通信用アンテナ１３及びアンテナ給電点１５が重なって位置しないように位置規制することができる。これにより、携帯電話部の送信電波と非接触通信部における非接触通信信号との結合度が減少し、その結果として両者の相互干渉を軽減できるため、通話またはデータ通信と同時に非接触通信を行う際のスプリアス成分の発生を抑制し、双方の通信を良好に行うことが可能となる。
【００４７】
特に、第４の実施形態の場合は第１の筐体１１の背面部２６には凹凸がないため、装置筐体を薄型化でき、ポケットやカバンなどに対して携帯端末装置を円滑に出し入れ可能にすることができる。
【００４８】
なお、本発明は、上述した実施形態以外にも、種々の形態によって実施することができる。例えばガイド手段として設ける段差部、凸部、ガイド部材、ガイド表示などの形状は、非接触通信用カードを携帯端末装置に対して所定の位置に案内して位置決めできるものであれば、どのようなものであっても良い。
【００４９】
【発明の効果】
以上説明したように本発明によれば、携帯電話等の無線通信と非接触通信とを同時に行った際に生じる通信信号の相互干渉を軽減することが可能な携帯端末装置を提供できる。
【図面の簡単な説明】
【図１】本発明の第１の実施形態に係る携帯端末装置の概略構成を示す図
【図２】本発明の第２の実施形態に係る携帯端末装置の概略構成を示す図
【図３】第２の実施形態の携帯端末装置における第１の筐体の背面側の構成を示す平面図
【図４】第２の実施形態の変形例として携帯端末装置における第１の筐体の背面側の他の構成を示す平面図
【図５】本発明の第３の実施形態に係る携帯端末装置の概略構成を示す図
【図６】第３の実施形態の携帯端末装置における第１の筐体の背面側の構成を示す平面図
【図７】第３の実施形態の第１変形例においてガイド部材を携帯端末装置の第１の筐体の溝から取り外した状態を示す図
【図８】第３の実施形態の第２変形例として携帯端末装置における第１の筐体の背面側の他の構成を示す平面図
【図９】本発明の第４の実施形態に係る携帯端末装置の概略構成を示す図
【図１０】従来の非接触通信システムに対応した携帯端末装置の構成例を示した図
【符号の説明】
１１  第１の筐体
１２  第２の筐体
１３  移動体通信用アンテナ
１４  回路基板
１５  アンテナ給電点
１６  非接触通信用アンテナ
１７  非接触通信用カード
１８  アンテナ
１９、２０、２０ａ、２０ｂ  ガイド
２１、２１ａ、２１ｂ  ガイド部材
２２  溝
２３  ガイド表示
２６  背面部
【図１】
2004297600.tif 000003
【図２】
2004297600.tif 000004
【図３】
2004297600.tif 000005
【図４】
2004297600.tif 000006
【図５】
2004297600.tif 000007
【図６】
2004297600.tif 000008
【図７】
2004297600.tif 000009
【図８】
2004297600.tif 000010
【図９】
2004297600.tif 000011
【図１０】
2004297600.tif 000012